(57)【要約】      （修正有）【課題】オーバートルクを抑制できるトルクレンチを提供する。【解決手段】持ち手を一端側に有し、他端側に筒部を有するレンチ本体と、締付対象と係合する係合部を有し、当該係合部から延びる一端側が前記筒部に差し込まれて回転可能に軸支されたヘッドと、前記筒部内部に設置され、前記持ち手の回転に伴って締付トルクが設定トルクを越えるまで、前記レンチ本体の前記ヘッドに対する相対的な回転を制限する制限状態となり、前記持ち手の回転に伴って前記締付トルクが前記設定トルクを越えると、前記制限を解除した解除状態へ切り替わる切替機構とを具備し、前記切替機構が前記解除状態へ切り替わった場合に、前記レンチ本体が前記ヘッドに対して相対的に回転し、前記レンチ本体と前記ヘッドとが互いに接触するように構成されており、前記ヘッド又は前記レンチ本体の一方又は双方が、前記接触箇所に弾性部材を備えていることを特徴とするトルクレンチ。【選択図】図１
2020114611.tif 000002
【特許請求の範囲】
【請求項１】
締付対象に係合される係合部を支点として持ち手を回転させることにより、前記締付対象に加わる締付トルクが設定トルクになるように前記締付対象を締め付けるトルクレンチであって、
前記持ち手を一端側に有し、他端側に筒部を有するレンチ本体と、
前記係合部を有し、当該係合部から延びる一端側が前記筒部に差し込まれて回転可能に軸支されたヘッドと、
前記筒部内部に設置され、前記締付トルクが前記設定トルクを越えるまで、前記レンチ本体の前記ヘッドに対する相対的な回転を制限する制限状態となり、前記締付トルクが前記設定トルクを越えると、前記制限を解除した解除状態へ切り替わる切替機構とを具備し、
前記切替機構が前記解除状態へ切り替わった場合に、前記レンチ本体が前記ヘッドに対して相対的に回転し、前記レンチ本体と前記ヘッドとが互いに接触するように構成されており、
前記レンチ本体又は前記ヘッドの一方又は双方が、前記接触箇所に弾性部材を備えていることを特徴とするトルクレンチ。
【請求項２】
前記レンチ本体と前記ヘッドとが接触したことを報知する報知機構をさらに備えている請求項１記載のトルクレンチ。
【請求項３】
前記報知機構が、前記弾性部材の接触面に設置された金属片を備えている請求項２記載のトルクレンチ。
【発明の詳細な説明】
【技術分野】
【０００１】
本発明は、トルクレンチに関するものである。
【背景技術】
【０００２】
従来のトルクレンチとして、例えば、特許文献１に示すように、持ち手を一端側に有し、他端側に筒部を有するレンチ本体と、締付対象と係合する係合部を有し、当該係合部から延びる一端側が筒部に差し込まれて回転可能に軸支されたヘッドと、持ち手の回転に伴って締付トルクが設定トルクを越えた場合に、レンチ本体のヘッドに対する相対的な回転を制限する制限状態から前記制限を解除した解除状態へ切り替わる切替機構とを具備した構造のものがある。
【０００３】
なお、前記従来のトルクレンチにおいては、切替機構が解除状態になった場合に、これに伴ってレンチ本体がヘッドに対して相対的に回転（空転）し、レンチ本体の筒部内面とヘッドとが接触（衝突）する。そして、ユーザは、この時生じる接触音（衝突音）によって締付対象の締付トルクが設定トルクに達したことを感知できるようになっている。
【０００４】
ここで、前記従来のトルクレンチを用いて締付作業を実施した場合における締付対象に加わる締付トルクの時間変化を示すグラフを図５に図示する。図５から分かるように、持ち手を回転させ始めると、締付トルクが設定トルクになるまで徐々に上昇する（図５中、Ｔ１〜Ｔ２）。そして、締付トルクが設定トルクに達すると、締付トルクが急激に降下する（図５中、Ｔ２〜Ｔ３）。これは、切替機構が制限状態から解除状態に切り替わり、レンチ本体がヘッドに対して相対的に回転したためである。なお、この時生じる接触音を感知して直ちに持ち手の回転を停止させれば、締付対象を設定トルクで締め付けることができる。
【０００５】
ところが、実際には、接触音を感知しても作業者は直ちに持ち手の回転を停止できないため、切替機構が解除状態に切り替わった後も更に持ち手の回転が続行される。なお、レンチ本体の筒部内面にヘッドが接触した状態になると、持ち手を回転される力が前記切替機構を介することなくレンチ本体からヘッドへ直接伝達されるようになる。このため、前記のように持ち手の回転が続行されると、締付トルクが設定トルクを越えて上昇し（図５中、Ｔ３〜Ｔ４）、大きなオーバートルク（図５中、Ｙ）が生じるという問題がある。
【先行技術文献】
【特許文献】
【０００６】
【特許文献１】特公昭５２−２２４７６
【発明の概要】
【発明が解決しようとする課題】
【０００７】
そこで、本発明は、オーバートルクを抑制できるトルクレンチを提供することを主な課題とするものである。
【課題を解決するための手段】
【０００８】
すなわち、本発明に係るトルクレンチは、締付対象に係合される係合部を支点として持ち手を回転させることにより、前記締付対象に加わる締付トルクが設定トルクになるように前記締付対象を締め付けるトルクレンチであって、前記持ち手を一端側に有し、他端側に筒部を有するレンチ本体と、前記締付対象と係合する係合部を有し、当該係合部から延びる一端側が前記筒部に差し込まれて回転可能に軸支されたヘッドと、前記筒部内部に設置され、前記持ち手の回転に伴って前記締付トルクが前記設定トルクを越えるまで、前記レンチ本体の前記ヘッドに対する相対的な回転を制限する制限状態となり、前記持ち手の回転に伴って前記締付トルクが前記設定トルクを越えると、前記制限を解除した解除状態へ切り替わる切替機構とを具備し、前記切替機構が前記解除状態へ切り替わった場合に、前記レンチ本体が前記ヘッドに対して相対的に回転し、前記レンチ本体と前記ヘッドとが互いに接触するように構成されており、前記ヘッド又は前記レンチ本体の一方又は双方が、前記接触箇所に弾性部材を備えていることを特徴とするものである。
【０００９】
このようなものであれば、ヘッド又はレンチ本体の一方又は双方が、その接触箇所に弾性部材を備えているので、切替機構が解除状態に切り替わり、レンチ本体の筒部内面にヘッドが接触した状態で更に持ち手の回転が続行されたとしても、当該持ち手の回転が弾性部材の変形によって吸収されてヘッドに伝達され難くなる。これにより、オーバートルクが抑制される。なお、制限状態は、持ち手に回転させる力が加わった状態で締付対象に加わる締付トルクが増加する状態であり、解除状態は、持ち手に回転させる力が加わった状態で締付対象に加わる締付トルクが増加しない状態である。より具体的には、解除状態は、持ち手に回転させる力が加わった状態で締付対象に加わる締付トルクが一時的に減少する状態である。
【００１０】
また、前記レンチ本体と前記ヘッドとが接触したことを報知する報知機構をさらに備えてもよい。
【００１１】
レンチ本体又はヘッドのいずれか一方が、その接触箇所にゴム等の弾性部材を備えていると、レンチ本体とヘッドとが接触（衝突）した時に接触音（衝突音）が発生し難くなる、そこで、前記レンチ本体と前記ヘッドとが接触したことを報知する報知機構をさらに備えればよい。なお、報知機構による報知方法としては、音、光、振動等が考えられる。
【００１２】
前記報知機構は、具体的には、前記弾性部材の接触面に設けられた金属片を備えるものであってもよい。
【００１３】
従来のトルクレンチは、レンチ本体の筒部及びヘッドをそれぞれ金属製とし、レンチ本体の筒部内面とヘッドとの接触によって発生する金属音により、ユーザは、締付対象に加わる締付トルクが設定トルクになったことを感知していた。そこで、弾性部材の接触面に金属片を設置することにより、レンチ本体とヘッドとが衝突した時に従来のトルクレンチと同様に金属音が生じるようになる。
【発明の効果】
【００１４】
このように構成したトルクレンチによれば、オーバートルクを抑制することができるようになる。
【図面の簡単な説明】
【００１５】
【図１】実施形態に係るトルクレンチの全体構成を示す模式図である。
【図２】実施形態に係るトルクレンチの切替機構周辺を拡大して示す模式図である。
【図３】実施形態に係るトルクレンチによる締付作業における締付対象に加わる締付トルクの時間変化を示すグラフである。
【図４】その他の実施形態に係るトルクレンチの切替機構周辺を拡大して示す模式図である。
【図５】従来のトルクレンチによる締付作業における締付対象に加わる締付トルクの時間変化を示すグラフである。
【発明を実施するための形態】
【００１６】
以下に、本発明に係るトルクレンチを図面に基づいて説明する。
【００１７】
本発明に係るトルクレンチ１００は、締付対象に加わる締付トルクが設定トルクになるように当該締付対象を締め付けるためのものである。なお、締付対象としては、ネジ、ボルト、ナット等が挙げられる。
【００１８】
＜実施形態＞  本実施形態に係るトルクレンチ１００は、図１に示すように、レンチ本体１０と、ヘッド２０と、切替機構３０と、報知機構４０と、設定トルク調節機構５０と、を備えている。
【００１９】
前記レンチ本体１０は、持ち手１１を一端側に有すると共に、他端側に筒部１２を有する棒状のものである。なお、レンチ本体１０は、その筒部１２が金属製になっている。そして、レンチ本体１０の筒部１２には、ヘッド２０がその一部を差し込んだ状態で回転可能に軸支されている。また、レンチ本体１０の筒部１２内部には、ヘッド２０と持ち手１１との間に切替機構３０が設置されており、持ち手１１終端部に設定トルク調節機構５０が設置されている。
【００２０】
前記ヘッド２０は、締付対象と係合する係合部２１を有するものである。本実施形態の係合部２１は、ラチェット機構を有しており、締付対象と係合するソケット２２が着脱可能に接続された構造になっている。なお、係合部２１は、ソケット２２やビットのように締付対象に合わせて交換できる先端工具を備える態様のものに限らず、例えば、係合部２１自体がレンチ、スパナ、ドライバー等の先端形状に形成されている態様のものであってもよい。さらに、係合部２１は、ラチェット機構を有しないものであってもよい。
【００２１】
また、前記ヘッド２０は、係合部２１から延びる軸体２３を有している。なお、係合部２１は、レンチ本体１０の筒部１２外方に配置されている。そして、軸体２３は、レンチ本体１０の筒部１２内方へ差し込まれて当該筒部１２に対して回転可能に軸支されている。具体的には、軸体２３は、レンチ本体１０の筒部１２に対し、その筒部１２の軸方向と直交する方向へ貫通する支軸２４によって回転可能に軸止めされている。これにより、軸体２３は、支軸２４を回転軸とし、その回転方向に位置する筒部１２の対向する内面１２ａ，１２ｂ間で回転できるように構成されている。
【００２２】
なお、前記本実施形態のヘッド２０には、軸体２３の先端側に筒部１２の一方の内面１２ａに向かって突出する校正ネジ２５が設けられている。また、ヘッド２０は、軸体２３の先端側に筒部１２の他方の内面１２ｂと対向するように弾性部材２６を備えている。なお、弾性部材２６は、弾力性を有するものであり、外力が加わることによって変形するものである。具体的には、弾性部材２６は、ゴム等によって形成されている。
【００２３】
前記切替機構３０は、締付作業において、締付対象に加わる締付トルクが設定トルクを越えるまで、レンチ本体１０のヘッド２０に対する相対的な回転を制限する制限状態となり、締付対象に加わる締付トルクが設定トルクを越えると、前記制限を解除した解除状態へ切り替わるように構成されている。そして、持ち手１１を回転させる力を加えた状態で、切替機構３０が制限状態から解除状態に切り替わると、レンチ本体１０がヘッド２０に対して相対的に回転（空転）し、レンチ本体１０の筒部１２における他方の内面１２ｂとヘッド２０の軸体２３とが衝突して接触するように構成されている。
【００２４】
なお、本実施形態の切替機構３０は、クラッチ式のものであり、具体的には、所謂トグル機構によって構成されている。本実施形態の切替機構３０は、レンチ本体１０の筒部１２内部を軸方向に沿ってスライドするスライド部材３１と、スライド部材３１をヘッド２０側へと押圧する弾性体３２と、ヘッド２０とスライド部材３１とを連結するリンク部材３３と、を備えている。そして、切替機構３０は、弾性体３２の弾力をスライド部材３１及びリンク部材３３を介してヘッド２０に伝達するように構成されている。なお、本実施形態の弾性体３２は、コイルバネである。
【００２５】
ここで、本実施形態の切替機構３０の動作を詳細に説明する。なお、図１（ａ）及び図２（ａ）に示すトルクレンチは、切替機構３０が制限状態になっており、図１（ｂ）及び図２（ｂ）に示すトルクレンチは、切替状態３０が解除状態になっている。
【００２６】
前記切替機構３０は、制限状態になると、弾性体３２の弾力によってヘッド２０の軸体２３をレンチ本体１０の筒部１２における一方の内面１２ａに向けて押圧する。これにより、切替機構３０は、レンチ本体１０のヘッド２０に対する相対的な回転を制限する。そして、切替機構３０は、持ち手１１の回転に伴って締付対象に加わる締付トルクが設定トルクになるまで制限状態を維持する。
【００２７】
前記制限状態において、持ち手１１を所定方向（図１（ａ）中、矢印Ａ方向）へ回転させる力が増加すると、締付対象に加わる締付トルクが増加し（図３中、Ｔ１〜Ｔ２）、これに伴ってレンチ本体１０がヘッド２０に対して相対的に回転しようとする力も増加する。
【００２８】
なお、持ち手１１を前記所定方向へ回転させる力が増加するに従って、切替機構３０が、スライド部材３１がヘッド２０に押されて弾性体３２の弾力と抗する方向（図１（ａ）中、矢印Ｃ方向）へスライドすると共に、リンク部材３３がスライド部材３２の摺動方向（筒部１２の軸方向）に対する回転角度（図２（ａ）中、θ）を減少させる方向へ回転しようとする。
【００２９】
そして、持ち手１１を前記所定方向へ回転させる力が更に増加し、締付対象に加わる締付トルクが設定トルクを越えると、切替機構３０は、リンク部材３３が前記回転角度を減少させる方向へ回転する。これにより、切替機構３０が、ヘッド２０の軸体２３を筒部１２の一方の内面１２ａに向けて押圧する力が急激に減少して解除状態に切り替わる。その結果、レンチ本体１０がヘッド２０に対して相対的に回転（空転）し、これにより、締付対象に加わる締付トルクも急激に減少する（図３中、Ｔ２〜Ｔ３）。そして、図１（ｂ）及び図２（ｂ）に示すように、レンチ本体１０の筒部１２における他方の内面１２ｂとヘッド２０の軸体２３とが互いに衝突して接触する。
【００３０】
なお、従来のトルクレンチは、レンチ本体１０の筒部１２における他方の内面１２ｂとヘッド２０の軸体２３とが互いに接触した接触状態になると、持ち手１１を前記所定方向へ回転させる力が切替機構３０を介することなく直接ヘッド２０へ伝達されるようになる。よって、接触状態になった後、持ち手１１を前記所定方向へ回転させる力が更に増加すると、締付対象に加わる締付トルクも再び増加する。しかし、本実施形態によれば、接触状態になった後、持ち手１１を前記所定方向へ回転させる力が更に増加しても、持ち手１１を回転させる力が弾性部材２６の変形によって吸収されてヘッド２０へ伝達され難くなる（図３中、Ｔ３〜Ｔ４）。これにより、締付対象に加わるオーバートルク（図３中、Ｘにて示す）が抑制される。なお、例えば、図３においては、ピークトルク（図３中、Ｔ４）が設定トルクを僅かに越えるに留まっている。
【００３１】
因みに、本実施形態の切替機構３０は、解除状態になっても、ヘッド２０の軸体２３を筒部１２の一方の内面１２ａに向けて押圧するように構成されている。このため、切替機構３０は、持ち手１１を前記所定方向へ回転させる力がある程度弱まると、再び制限状態へと復帰する（図３中、Ｔ５〜Ｔ６）。
【００３２】
前記報知機構４０は、締付トルクが設定トルクに達したことをユーザに報知するものである。なお、報知機構４０は、切替機構３０が制限状態から解除状態に切り替わった場合に、レンチ本体１０とヘッド２０とが互いに衝突（接触）することを利用して報知するように構成されている。具体的には、報知機構４０は、レンチ本体１０の金属製の筒部１２における他方の内面１２ｂと、ヘッド２０の弾性部材２６における当該他方の内面１２ｂと対向（接触）する面に設けられた金属片４１と、を備えている。すなわち、報知機構４０は、ヘッド２０とレンチ本体１０との接触箇所をいずれも金属で構成したものである。これにより、ヘッド２０がレンチ本体１０に衝突した場合に、金属の衝突音が生じるように構成されている。
【００３３】
前記設定トルク調節機構５０は、切替機構３０の弾性体３２をヘッド２０側へ押圧する力を変化させることよって設定トルクを調節するものである。すなわち、設定トルク調節機構５０によって、弾性体３２をヘッド２０側へ押圧する力を増加させると、これに伴って弾性体３２がスライド部材３１を押圧する力が増加する。これにより、切替機構３０が、ヘッド２０の軸体２３を筒部１２の一方の内面１２ａに押圧する力が増加し、その結果、設定トルクを大きくするように調節できる。一方、設定トルク調節機構５０によって、弾性体３２をヘッド２０側へ押圧する力を減少させると、これに伴って弾性体３２がスライド部材３１を押圧する力が減少する。これにより、切替機構３０が、ヘッド２０の軸体２３を筒部１２における一方の内面１２ａに押圧する力が減少し、その結果、設定トルクを小さくするように調節できる。なお、本実施形態の設定トルク調節機構５０は、持ち手１１の終端に設けられたダイヤル５１を回転させることによって設定トルクを調節できるように構成されている。
【００３４】
＜その他の実施形態＞  前記実施形態１においては、切替機構３０として、所謂トグル機構を用いたが、これに限定されることなく、図４に示す切替機構３０を用いてもよい。具体的には、図４に示す切替機構３０は、クランク式のものであり、具体的には、レンチ本体１０の筒部１２内部を軸方向に沿ってスライドするスライド部材３１と、スライド部材３１をヘッド２０側へと押圧する弾性体３２と、ヘッド２０とスライド部材３１との間に介在するリンクブロック３４と、を備えている。
【００３５】
なお、前記切替機構３０は、制限状態になると、図４（ａ）に示すように、弾性体３２の弾性によってヘッド２０及びスライド部材３１に対して面接触するリンクブロック３４を当該ヘッド２０側へ押圧する。これにより、レンチ本体１０のヘッド２０に対する相対的な回転を制限する。
【００３６】
そして、持ち手１１を回転させる力が増加し、締付対象に加わる締付トルクが設定トルクを越えると、図４（ｂ）に示すように、リンクブロック３４が回転して解除状態に切り替わる。その結果、レンチ本体１０がヘッド２０に対して相対的に回転（空転）し、これに伴って締付対象に加わる締付トルクが急激に減少する。そして、レンチ本体１０における筒部１２内面１２ａ，１２ｂとヘッド２０の軸体２３とが互いに衝突する。
【００３７】
このような構成によれば、係合部２１を支点として持ち手１１をいずれの方向へ回転させても、切替機構３０が制限状態から解除状態へ切り替わる。よって、レンチ本体１０の筒部１２における両内面１２ａ，１２ｂとヘッド２０の軸体２３とが互いに衝突する位置に弾性部材２６を備えるように構成すればよい。また、この場合、ラチェット機構に回転方向を切り替えることができる機構を設ければよい。
【００３８】
前記実施形態においては、ヘッド２０が弾性部材２６を備える構成としたが、これに限定されることなく、レンチ本体１０がヘッド２０と接触する位置に弾性部材２６を備える構成としてもよい。また、ヘッド２０及びレンチ本体１０が共に互いに接触する位置に弾性部材２６を備える構成としてもよく、この場合には、各弾性部材２６に金属片４１を設けて報知機構４０とすればよい。
【００３９】
また、前記報知機構４０は、金属同士を衝突させる構成に限らず、例えば、レンチ本体１０とヘッド２０とが接触した場合に通電し、音、光、振動等を発生させるような機構のものであってもよい。具体的には、例えば、ヘッド２０及びレンチ本体１０の接触箇所のいずれかにスイッチを設置し、ヘッド２０及びレンチ本体が接触した場合に、スイッチが押圧されてブザーが鳴るような構成としてもよい。
【００４０】
また、前記実施形態においては、弾性部材２６としてゴムを使用したが、例えば、コイルバネや板バネ等の金属製の弾性部材を使用してもよい。
【００４１】
その他、本発明は前記各実施形態に限られず、その趣旨を逸脱しない範囲で種々の変形が可能であるのは言うまでもない。
【符号の説明】
【００４２】
１００  トルクレンチ
１０  レンチ本体
１１  持ち手
１２  筒体
２０  ヘッド
２１  係合部
２６  弾性部材
３０  切替機構
４０  報知機構
４１  金属片
【図１】
2020114611.tif 000003
【図２】
2020114611.tif 000004
【図３】
2020114611.tif 000005
【図４】
2020114611.tif 000006
【図５】
2020114611.tif 000007